(57)【要約】【課題】健聴者が使用する場合において、耳孔を塞ぐことなく高音質で音楽を楽しむことができ、また、音楽を聞きながら外部音の聴取もでき、例えば、音楽を聞きながらジョギングしたとしても、外部からの呼びかけ、警笛音等の聴取が可能なために、安全に使用することが可能な骨伝導ヘッドホンを提供することを課題とする。【解決手段】骨伝導スピーカ１と、骨伝導スピーカ１の筐体２に取り付けられる気導音スピーカ３とを備え、着用時において骨伝導スピーカ１が耳孔１１の前方に位置するように配置されると共に、気導音スピーカ３の放音口４が、直接又は間接的に耳孔１１に向くように配置される。【選択図】図２
2016103983.tif 000002
【特許請求の範囲】
【請求項１】
骨伝導スピーカと、前記骨伝導スピーカの筐体に取り付けられる気導音スピーカとを備え、着用時において前記骨伝導スピーカが耳孔の前方に位置するように配置されると共に、前記気導音スピーカの放音口が、直接又は間接的に耳孔に向くように配置されていることを特徴とする骨伝導ヘッドホン。
【請求項２】
前記気導音スピーカの放音口に、耳孔に向かって開口するガイドが延設されている、請求項１に記載の骨伝導ヘッドホン。
【請求項３】
前記骨伝導スピーカは、耳掛け具の先端に取り付けられている、請求項１又は２に記載の骨伝導ヘッドホン。
【請求項４】
前記骨伝導スピーカは眼鏡のテンプルに設置され、前記気導音スピーカの放音口に、耳孔に向かって伸びる音導チューブが取り付けられている、請求項１に記載の骨伝導ヘッドホン。
【発明の詳細な説明】
【技術分野】
【０００１】
本発明は、骨伝導ヘッドホンに関するものであり、より詳細には、健聴者が使用する場合において、耳孔を塞ぐことなく安全に、高音質の音声、音楽等を楽しむことができる骨伝導ヘッドホンに関するものである。
【背景技術】
【０００２】
骨伝導式のヘッドホンとしては、スピーカ部を耳珠を含む耳孔前方に配置して使用する耳掛け式骨伝導式ヘッドホンが知られている（特許文献１の図７参照）。それは、従来の一般的なヘッドホンと比較して、耳孔を塞がずに音声、音楽を聴取することができる利点がある反面、音楽を聴取する場合において、骨伝導スピーカの振動出力が人体の皮膚及び頭蓋骨を経由して聴覚神経に信号が伝わる関係上、高域周波数成分が皮膚を経由する時点で大きく減衰してしまい、音質が劣化するという欠点がある。【０００３】
また、健聴者が骨伝導ヘッドセットを使う場合は、骨伝導スピーカ本体が発生する空気振動を、鼓膜を経由して聴取することができるので、高域周波数はある程度補正されて聞こえることになるが、十分な周波数レンジを持っている訳ではない。そして、骨伝導スピーカユニット本体全体から発生する気導音成分は、比較的大きく重い筐体が振動することによって発生するものであるため、その構造上、必要十分な高域周波数の再生は望めない。
【先行技術文献】
【特許文献】
【０００４】
【特許文献１】ＷＯ２００８／０２９５１５
【発明の概要】
【発明が解決しようとする課題】
【０００５】
上述したように、スピーカ部を、耳珠を含む耳孔前方に配置して使用する耳掛け式骨伝導ヘッドホンの場合は、従来の一般的ヘッドホンと比較して、耳孔を塞がずに音声、音楽を聴取することができる利点がある反面、音楽を聴取する場合において、音質が劣化してしまうという欠点があった。【０００６】
そこで本発明は、健聴者が使用する場合において、耳孔を塞ぐことなく高音質で音楽を楽しむことができ、また、音楽を聞きながら外部音の聴取もでき、例えば、音楽を聞きながらジョギングしたとしても、外部からの呼びかけ、警笛音等の聴取が可能なために、安全に使用することが可能な骨伝導ヘッドホンを提供することを課題とする。
【課題を解決するための手段】
【０００７】
上記課題を解決するための請求項１に係る発明は、骨伝導スピーカと、前記骨伝導スピーカの筐体に取り付けられる気導音スピーカとを備え、着用時において前記骨伝導スピーカが耳孔の前方に位置するように配置されると共に、前記気導音スピーカの放音口が、直接又は間接的に耳孔に向くように配置されていることを特徴とする骨伝導ヘッドホンである。【０００８】
一実施形態においては、前記気導音スピーカの放音口に、耳孔に向かって開口するガイドが延設され、また、前記骨伝導スピーカは、耳掛け具の先端に取り付けられる。【０００９】
一実施形態においては、前記骨伝導スピーカは眼鏡のテンプルに設置され、前記気導音スピーカの放音口に、耳孔に向かって伸びる音導チューブが取り付けられる。
【発明の効果】
【００１０】
本発明は、上記のとおり、骨伝導スピーカと、前記骨伝導スピーカの筐体に取り付けられた気導音スピーカとを備え、着用時において前記骨伝導スピーカは耳孔の前方に位置するように配置されると共に、前記気導音スピーカの放音口が耳孔に向かうように配置されているので、健聴者が使用する場合に、耳孔を塞ぐことなく高音質で音楽を楽しむことができ、また、音楽を聞きながら外部音の聴取もでき、例えば、音楽を聞きながらジョギングしたとしても、外部からの呼びかけ、警笛音等の聴取が可能なために、安全に使用することが可能という効果がある。【００１１】
また、気導音用スピーカは、基本的には、骨伝導スピーカの持つ周波数帯域でカバーできない高域成分を補填する目的で使用するものであって、中低域特性は必要ないため、極小型のユニットを用いることができるので、２ウエイ構造であっても、全体的に小型のものとすることができる効果がある。
【図面の簡単な説明】
【００１２】
【図１】本発明に係る骨伝導ヘッドホンの一実施形態の使用状態を示す正面図である。
【図２】図１に示す骨伝導ヘッドホンの使用状態を示す縦断面図である。
【図３】本発明に係る骨伝導ヘッドホンの他の実施形態の使用状態を示す正面図である。
【発明を実施するための形態】
【００１３】
本発明を実施するための形態について、添付図面に依拠して説明する。本発明に係る骨伝導ヘッドホンは、図１に示すような、骨伝導スピーカ１を耳孔１１前方に配置して使用する耳掛け式のヘッドホンで、着用時において、骨伝導スピーカ１の筐体２に取り付けられた気導音スピーカ３の放音口４が、直接又は間接的に、耳孔１１に向くように配置されていることを特徴とするものである（図２参照）。この実施形態の場合、骨伝導スピーカ１は、耳掛け具５の先端に取り付けられている。
【００１４】
気導音スピーカ３の放音口４には、耳孔１１に向かって開口するガイド４ａが延設されることもある。このガイド４ａは、放音口４から発せられる気導音の伝達方向を耳孔１１に集中させて、外部への音漏れを極力減少させる役目を果たす。
【００１５】
気導音スピーカ３は、骨伝導スピーカ１の筐体２に取り付け可能な極小型のものである。即ち、気導音スピーカ３は、基本的には、骨伝導スピーカ１の持つ周波数帯域でカバーできない高域成分を補填する目的で使用するものであって、中低域特性は必要ないため、極小型のユニットを用いることができる。そのため、２ウエイ構造であっても、全体的に小型にまとめることができる。
【００１６】
上記構成の骨伝導ヘッドホンの場合、着用時において骨伝導スピーカ１は、その筐体が耳孔１１より少し前の部分及び耳珠１２に当接し、骨伝導信号を伝達する。また同時に、気導音スピーカ３からの気導音が、耳孔１１に向く放音口４から放音され、鼓膜を介して聴取される。この放音口４からの気導音は、直近の耳孔１１に向かって放音されるために、周囲への音漏れを最小に抑えることができる。放音口４にガイド４ａを延設した場合は、音漏れ抑制効果が高まる。
【００１７】
本発明に係る骨伝導ヘッドホンの場合は、このように耳孔１１をオープンにした状態で、中低域成分は主に骨伝導スピーカ１からの骨導音として、また、高域成分は主に気導音スピーカ３からの気導音として聴取が可能であるため、高音質での聴取が可能となる。
【００１８】
図３に示す実施形態は、骨伝導スピーカ１及びそれと一体の気導音スピーカ３を、眼鏡のテンプル７に設置したものである。そして、その場合、気導音スピーカ３の放音口４に、耳孔１１に向かって伸びる音導チューブ６が取り付けられる。
【００１９】
この実施形態の場合も、中低域成分は、主に骨伝導スピーカ１からの骨導音として伝達され、また、高域成分は、主に気導音スピーカ３の放音口４から気導音として発せられ、音導チューブ６を介して耳孔１１に向けて放音されることで、高音質での聴取が可能となる。
【００２０】
この発明をある程度詳細にその最も好ましい実施形態について説明してきたが、この発明の精神と範囲に反することなしに広範に異なる実施形態を構成することができることは言うまでもない。従って、この発明は、添付請求の範囲において限定した以外はその特定の実施形態に制約されるものではない。
【図１】
2016103983.tif 000003
【図２】
2016103983.tif 000004
【図３】
2016103983.tif 000005
【国際調査報告】
2016103983.tif 000006
2016103983.tif 000007
2016103983.tif 000008
2016103983.tif 000009